(57)【要約】    【課題】  本発明は、個々の容器が着脱自在なトレーを提供することを目的とする。    【解決手段】本発明に係るトレーＡは、上方が開口し、有底で周囲に壁部１２を有し、底部から所定高さの位置において係合孔１１を設けた複数の容器１０と、該容器１０がそれぞれ嵌り込む切り抜き部２１を有し、切り抜き部２１の縁部に前記容器１０の係合孔に係合する係合凸部２２を設けたプレート２０とからなるものである。    【選択図】  図１
2006273424.tif 000002
【特許請求の範囲】
【請求項１】
上方が開口し、有底で周囲に壁部を有する容器であって、該容器の壁部において底部から所定高さの位置に係合凹部を設けた複数の容器と、
該容器がそれぞれ嵌り込む切り抜き部を有し、切り抜き部の縁部に前記容器の係合凹部に係合する係合凸部を設けたプレートとからなる
ことを特徴とするトレー。
【請求項２】
上方が開口し、有底で周囲に壁部を有する容器であって、該容器の壁部において底部から所定高さの位置に係合孔を設けた複数の容器と、
該容器がそれぞれ嵌り込む切り抜き部を有し、切り抜き部の縁部に前記容器の係合孔に係合する係合凸部を設けたプレートとからなる
ことを特徴とするトレー。
【請求項３】
上方が開口し、有底で周囲に壁部を有する容器であって、該容器の壁部において底部から所定高さの位置に容器内方へ突出させることによる周方向の係合くびれ部を設けた複数の容器と、
該容器がそれぞれ嵌り込む切り抜き部を有し、該切り抜き部の形状が前記容器の係合くびれ部と同形状であるプレートとからなる
ことを特徴とするトレー。
【請求項４】
容器の壁部が、その水平方向に切断した断面が波状をなす襞を有してなることを特徴とする請求項１〜３のいずれか１項に記載のトレー。
【請求項５】
プレートが、その切り抜き部からプレート外縁に達するミシン目を有してなることを特徴とする請求項１〜４のいずれか１項に記載のトレー。
【請求項６】
複数の容器がそれぞれ着脱可能に組み込まれてなることを特徴とするトレー。
【発明の詳細な説明】
【技術分野】
【０００１】
本発明は、複数の容器を備えたトレーであって、該容器が個々に着脱可能に構成されたトレーに関する。
【背景技術】
【０００２】
今日、弁当に詰める総菜等の食品が冷凍食品として販売されており、このような冷凍食品は、通常、適当なカップ型容器に調理済みの食品を収納した状態で冷凍されていて、電子レンジなどでこの冷凍された調理済み食品を加熱などの再調理を行った後、カップ型容器に収納した状態で弁当に詰め込むことができるようになっている。
【０００３】
従来の上記冷凍食品は、カップ型容器個々に食品を充填し、食品が充填された当該容器を、その適当個数分が収納できるトレーなどに収納し、その全体を包装して販売していた。
【０００４】
また、複数の容器を１つのプレートに嵌め込む構成をなすトレーとして、下記特許文献１において、カップ状をなしその周囲上端を下方へ折り返して折返し部を形成し、同折返し部の上部と下部とをそれぞれ外方へ向けて折曲することにより外周に係合溝を形成した成形カップと、複数の係合孔が形成され、各係合孔に前記成形カップをそれぞれ嵌め込むとともに、同カップの係合溝に係合孔の縁を係合させて成形カップを固定し得る連結板とからなる菓子用容器が提案されている。
【特許文献１】実開平３−６８０号
【発明の開示】
【発明が解決しようとする課題】
【０００５】
しかしながら、上記のようにカップ型容器個々に食品を充填してトレーに収納することは、時間と手間を要するため効率的ではない。
【０００６】
また、上記従来の菓子用容器は、折り返し部を形成し、さらに該折返し部の上部と下部とをそれぞれ外方へ向けて折曲することにより外周に係合溝を形成するものであるため、折り返し部を形成するための余分な材料を必要とし、かつ、折り返した上にその上部と下部とを外方へ折曲するという極めて技巧的な製法であって、製造コストが高額になる欠点を有するものであった。
【０００７】
また、複数の容器をひとまとめに構成してなるトレーであって、個々の容器毎に切離可能なものが提案されているが、未だ充分なものが完成されていないのが実情である。
【０００８】
そこで、本発明者は、鋭意研究を重ねた結果、個々の容器が着脱自在であり、安価に製造できるトレーを開発した。
【課題を解決するための手段】
【０００９】
本発明に係るトレーは、上方が開口し、有底で周囲に壁部を有する容器であって、該容器の壁部において底部から所定高さの位置に係合凹部を設けた複数の容器と、該容器がそれぞれ嵌り込む切り抜き部を有し、切り抜き部の縁部に前記容器の係合凹部に係合する係合凸部を設けたプレートとからなることを特徴とするものである。なお、上記の係合凹部に代えて、係合孔を設ける構成としてもよい。
【００１０】
また、本発明に係るトレーを、上方が開口し、有底で周囲に壁部を有する容器であって、該容器の壁部において底部から所定高さの位置に容器内方へ突出させることによる周方向の係合くびれ部を設けた複数の容器と、該容器がそれぞれ嵌り込む切り抜き部を有し、該切り抜き部の形状が前記容器の係合くびれ部と同形状であるプレートとからなる構成としてもよい。
【００１１】
さらに、上記の容器の壁部が、その水平方向に切断した断面が波状をなす襞を有してなる容器を採用してもよい。なお、断面が波状をなす襞とは、規則的な凹凸のみならず、絞り加工などによって形成される不規則な皺状の凹凸も含むものとする。
【００１２】
さらにまた、プレートが、その切り抜き部からプレート外縁に達するミシン目を有する構成としてもよい。
【００１３】
また、トレーを複数の容器がそれぞれ着脱可能に組み込まれてなる構成としてもよい。
【００１４】
本発明に係るトレーは、上記のように構成したので、個々の容器が着脱自在となり、かつ、その製造コストも安価であり、冷凍食品の製造過程においては、個々の容器がひとまとまりになるように構成し、また、再調理する前、または、再調理後に食品が充填された容器が個々に分離することができる。
【発明の効果】
【００１５】
本発明に係るトレーは、上記のように容器が個々に着脱可能であるため、製造中は、ひとまとめにして食品の充填や冷凍を行うことができ、そのまま包装することが可能であるから極めて効率的であり、生産性を向上させる利点がある。また、複雑な組み立て方法や構造ではないので、製造コストを低減することができる。なお、トレーを構成する容器及びプレートをゴミ分別上において同一の処分が可能な素材で製造するとゴミ分別に都合がよく、また、紙製や紙の含有率５０％以上の準紙製で構成すると環境問題解消に適する製品となる。
【発明を実施するための最良の形態】
【００１６】
以下、本発明に係るトレーの好適な実施例を添付の図面に基づいて詳細に説明する。
【実施例１】
【００１７】
図１は本実施例に係るトレーの斜視図であり、図２は本実施例に係るトレーを構成する容器の斜視図であり、図３は本実施例に係るトレーを構成するプレートの斜視図であり、図４は容器をプレートに嵌め込む状態を示す概略端面図であり、図５は容器の変更例を示す斜視図である。
【００１８】
本実施例に係るトレーＡは、図１に示すように、容器１０とプレート２０とから構成され、プレート２０に容器１０を嵌め込むことによってトレーＡが組み立てられる。
【００１９】
容器１０は、図２に示すように、上方が開口し、有底で周囲に壁部を有する円筒状であって、底部から所定高さの位置において４個所の係合孔１１を設けてなるものである。なお、この係合孔１１は、後述するプレート２０に設けた係合凸部２２を嵌め込むことができ、プレート２０により容器１０を保持することができれば、個数及び配置は、本実施例のものに限られるものではない。また、本実施例における係合孔１１は、図５に示す変更例のように容器内方側に窪みを形成した係合凹部１１’としてもよく、この場合は、容器の有効容積が大きくなる利点がある。なお、図５においては係合凹部１１’を４個所設けているが、容器の周囲を１周する係合凹部としてもよく、この場合には、プレート２０の係合凸部２２が嵌め込みやすくなる利点がある。
【００２０】
また、当該容器１０の壁部１２は、この壁部１２をその水平方向に切断した断面が波状をなす襞を有するものを採用しており、周長が可変であり、径方向に弾力性を有していて、プレート２０に嵌め込むのに適するように構成している。なお、この容器１０は、図５に示す変更例のように、壁部１２’が凹凸のない曲面のカップ状のものを使用してもよい。また、容器１０の形状としては、上方が開口し、有底で周囲に壁部を有するものであれば、円筒状、角筒状、逆円錐台状、逆角錐台状、逆円錐状、逆角錐状、その他、容器としての形態を備えるものであれば、どのようなものでもよい。
【００２１】
プレート２０は、図３に示すように、前記の容器１０を嵌め込むことができる６個の切り抜き部２１を有するものであって、各切り抜き部２１の縁部に前記容器１０の係合孔１１に係合する４個の係合凸部２２が設けられている。なお、プレート２０における切り抜き部２１の個数及び配置は、本実施例のものに限られるものではなく、適宜設計変更可能である。また、この係合凸部２２は、前述したように、容器１０の係合孔１１に嵌め込むことができ、プレート２０により容器１０が保持することができれば、係合凸部２２の個数及び配置は、本実施例のものに限られるものではなく、適宜設計変更可能なものである。
【００２２】
また、プレート２０は、その切り抜き部２１からプレート２０の外縁に達するミシン目２３を有しており、このミシン目２３を切離することによりプレート２０に嵌め込んだ容器１０を取り外すことも可能な構成になっている。本実施例においては、切離部が小さく、かつ、切離し易くするためにプレート２０の外縁に切り欠きを形成し、その切り欠きから切り抜き部２１までの間にミシン目２３を設けるようにしている。なお、このミシン目の配し方は、本実施例に限られるものではなく、種々のパターンを採用することができる。もっとも、このミシン目２３を設けずとも、後述するように、プレート２０から容器１０を上方あるいは下方に引き抜けば、容易にプレート２０から容器１０を取り外すことが可能である。なお、本実施例においては、プレート２０に、切り抜き部２１に関係しないミシン目を縦横に配しているが、このミシン目はプレート２０を個々に分離するために使用したり、プレート２０を折り畳むようなことがある際に使用する。
【００２３】
以上のように容器１０及びプレート２０を構成したことにより、図４に示すように、容器１０は、プレート１０に対して、矢符ａで示すように、その上方から嵌め込んでいくと、容器１０の壁面がプレート２０の係合凸部２２に接して、該係合凸部２２が下方に押し下げられ、プレート２０の係合凸部２２と容器１０の係合孔１１とが嵌り込んだ時点において、該係合凸部２２が復元して、容器１０は、プレート２０により保持される。この状態から、矢符ｂで示すように、容器１０をプレート２０に対して下方に引き抜こうとすると、容器１０の係合孔１１の上端がプレート２０の係合凸部２２を押し下げると共に、容器１０の周長が縮まって、径方向に小さくなるため、容器１０の係合孔１１とプレート２０の係合凸部２２との嵌合が外れ、そのまま容器１０は下方に引き抜かれることになる。このように、本実施例に係るトレーＡは、プレート２０に対して容器１０の着脱が容易であり、必要に応じて容器１０をプレートに取り付けることができ、また、プレートを破らずに取り外すことができる。
【００２４】
そして、本実施例においては、１枚のプレート２０に対して６個の容器１０をひとまとめにしてトレーＡを構成することができ、個々の容器１０が着脱自在であるため、例えば冷凍食品を充填する等の製造過程においては、個々の容器１０をプレート２０に嵌め込んでひとまとまりにしたトレーＡとして使用し、また、冷凍食品を加熱処理する等の再調理をする前、または、再調理後には、トレーＡから食品が充填されている容器１０を個々に分離することができる。
【００２５】
したがって、本実施例に係るトレーＡは、上記したように容器１０がプレート２０に対して個々に着脱可能であるため、容器１０とプレート２０とを各別に作成した後、容易にトレーＡを組み立てることができ、冷凍食品の製造においては、トレーＡとしてひとまとめにして食品の充填や冷凍を行うことができ、そのまま包装することが可能であるから極めて効率的であり、生産性を向上させる利点がある。また、再調理の際に容器１０をプレート２０から個々に容易に分離してトレーＡから取り外すことができるので便利である。
【実施例２】
【００２６】
図６は本実施例に係るトレーの斜視図であり、図７は本実施例に係るトレーを構成するプレートの斜視図であり、図８は本実施例に係るトレーを構成する容器の正面図であり、図９は容器をプレートに嵌め込む状態を示す概略端面図である。
【００２７】
本実施例に係るトレーＢは、図６に示すように、容器１１０とプレート１２０とから構成され、プレート１２０に容器１１０を嵌め込むことによってトレーＢが組み立てられる。
【００２８】
容器１１０は、図８に示すように、上方が開口し、有底で周囲に壁部１１２を有する円筒状であって、該壁部１１２において底部から所定高さの位置に容器内方へ突出させることによる周方向の係合くびれ部１１１を設けてなるものである。なお、この係合くびれ部１１１は、後述するプレート１２０に設けた切り抜き部１２１に嵌め込むことができ、プレート１２０により容器１１０を保持することができれば、全周にわたる必要はなく、３分の２周程度でもよい。
【００２９】
また、当該容器１１０の壁部１１２は、この壁部１１２をその水平方向に切断した断面が波状（絞り込みによる不規則な皺状の凹凸）をなす襞を有するものを採用しているため、周長が可変であり、径方向に弾力性を有していて、プレート１２０に嵌め込むのに適するように構成されている。なお、この容器１１０は、凹凸のない曲面のカップ状のものを使用してもよい。また、容器１１０の形状としては、上方が開口し、有底で周囲に壁部を有するものであれば、円筒状、角筒状、逆円錐台状、逆角錐台状、逆円錐状、逆角錐状、その他、容器としての形態を備えるものであれば、どのようなものでもよい。
【００３０】
プレート１２０は、図７に示すように、前記の容器１１０を嵌め込むことができる６個の切り抜き部１２１を有するものであって、各切り抜き部１２１は、前記容器１１０の係合くびれ部１１１と同形状をなしている。すなわち、前記容器１１０の係合くびれ部１１１は、円筒状の容器１１０の壁部１１２を径方向内方に均一に押圧して容器内方に突出するように形成されているため、係合くびれ部１１１は、その外周が円状をなしており、切り抜き部１２１は、前記係合くびれ部１２１の外周円とほぼ同一径の円状に切り抜かれている。なお、プレート１２０における切り抜き部１２１の個数及び配置は、本実施例のものに限られるものではなく、適宜設計変更可能である。
【００３１】
また、プレート１２０は、その切り抜き部１２１からプレート１２０の外縁に達するミシン目１２３を有しており、このミシン目１２３を切離することによりプレート１２０に嵌め込んだ容器１１０を取り外すことも可能な構成になっている。本実施例においては、切離部が小さく、かつ、切離し易くするためにプレート１２０の外縁に切り欠きを形成し、この切り欠きから切り抜き部１２１までの間にミシン目１２３を設けるようにしている。なお、このミシン目の配し方は、本実施例に限られるものではなく、種々のパターンを採用することができる。もっとも、このミシン目１２３を設けずとも、後述するように、プレート１２０から容器１１０を上方あるいは下方に引き抜けば、容易にプレート１２０から容器１１０を取り外すことが可能である。なお、本実施例においては、プレート１２０に、切り抜き部１２１に関係しないミシン目を縦横に配しているが、このミシン目はプレート１２０を個々に分離するために使用したり、プレート１２０を折り畳むようなことがある際に使用する。
【００３２】
以上のように容器１１０及びプレート１２０を構成したことにより、図９に示すように、容器１１０は、プレート１１０に対して、矢符ａで示すように、その上方から嵌め込んでいくと、容器１１０の壁面における係合くびれ部１１１の下方がプレート１２０の切り抜き部１２１によって径方向に押し縮められながら容器１１０が下方に進行して係合くびれ部１１１に切り抜き部１２１が嵌り込み、その位置で固定される。なお、本実施例における容器１１０は、係合くびれ部１１１の上方が拡開されてフランジ状の鍔部１１３が形成されており、この鍔部１１３を引き上げることにより、プレート１２０から容器１１０を引き抜くことができ、また、矢符ｂで示すように、容器１１０をプレート１２０に対して下方に引き抜くことも可能である。このように、本実施例に係るトレーＢは、プレート１２０に対して容器１１０の着脱が容易であり、必要に応じて容器１１０をプレート１２０に取り付けることができ、また、プレート１２０を破らずに取り外すことができる。なお、容器１１０上部の鍔部１１３は必ずしも形成する必要はない。
【００３３】
そして、本実施例においては、１枚のプレート１２０に対して６個の容器１１０をひとまとめにしてトレーＢを構成することができ、個々の容器１１０が着脱自在であるため、例えば冷凍食品を充填する等の製造過程においては、個々の容器１１０をプレート１２０に嵌め込んでひとまとまりにしたトレーＢとして使用し、また、冷凍食品を加熱処理する等の再調理をする前、または、再調理後には、トレーＢから食品が充填されている容器１１０を個々に分離することができる。
【００３４】
したがって、本実施例に係るトレーＢは、上記したように容器１１０がプレート１２０に対して個々に着脱可能であるため、容器１１０をプレート１２０とを各別に作成した後、容易にトレーＢを組み立てることができ、冷凍食品の製造においては、トレーＢとしてひとまとめにして食品の充填や冷凍を行うことができ、そのまま包装することが可能であるから極めて効率的であり、生産性を向上させる利点がある。また、再調理の際に容器１１０をプレート１２０から個々に容易に分離してトレーＢから取り外すことができるので便利である。
【００３５】
なお、本発明に係るトレーは、上記実施例に限られるものではなく、トレーが複数の容器をそれぞれ着脱可能に組み込むことができるような構成であればよい。
【産業上の利用可能性】
【００３６】
本発明に係るトレーは、冷凍食品用に限られるものではなく、ゼリーやチョコレートなどのお菓子その他の食品の容器としても使用できる。
【図面の簡単な説明】
【００３７】
【図１】実施例１に係るトレーの斜視図である。
【図２】実施例１に係るトレーを構成する容器の斜視図である。
【図３】実施例１に係るトレーを構成するプレートの斜視図である。
【図４】実施例１に係るトレーを構成する容器をプレートに嵌め込む状態を示す概略端面図である。
【図５】実施例１に係るトレーを構成する容器の変更例を示す斜視図である。
【図６】実施例２に係るトレーの斜視図である。
【図７】実施例２に係るトレーを構成するプレートの斜視図である。
【図８】実施例２に係るトレーを構成する容器の正面図である。
【図９】実施例２に係るトレーを構成する容器をプレートに嵌め込む状態を示す概略端面図である。
【符号の説明】
【００３８】
Ａ・・・・トレー
１０・・・容器
１１・・・係合孔
１１’・・係合凹部
１２・・・壁部
１２’・・壁部
２０・・・プレート
２１・・・切り抜き部
２２・・・係合凸部
２３・・・ミシン目
Ｂ・・・・トレー
１１０・・・容器
１１１・・・係合くびれ部
１１２・・・壁部
１１３・・鍔部
１２０・・・プレート
１２１・・・切り抜き部
１２３・・・ミシン目
【図１】
2006273424.tif 000003
【図２】
2006273424.tif 000004
【図３】
2006273424.tif 000005
【図４】
2006273424.tif 000006
【図５】
2006273424.tif 000007
【図６】
2006273424.tif 000008
【図７】
2006273424.tif 000009
【図８】
2006273424.tif 000010
【図９】
2006273424.tif 000011